(57)【要約】【課題】電源コードなどのケーブルを取り付け作業性がよく、確実に固定することができるケーブル固定装置を提供する。【解決手段】固定部１１０に一定の間隔を設けて配設された突出部１１７を備え、突出部１１７にケーブル１０８が貫通するスリット１１８を設け、突出部１１７の間にスリット１１８の底面より高くなる位置に配置された固定リブ１２０を設け、カバー部１１１に、スリット１１８に対向してフランジ部１２２を設け、固定部１１０の突出部１１７に重なるように配設されるカバー部１１１のフランジ部１２２と固定部１１０に設けられた固定リブ１２０によってケーブル１０８を屈折させて固定するもので、ケーブル１０８が複数箇所で屈曲され、外部から強い引っ張り力が加わっても十分耐えられる強い固定力を持つことができる。【選択図】図１
2012238723.tif 000002
【特許請求の範囲】
【請求項１】
固定部とカバー部に分かれる分割構造を持ち、嵌め合わせることでケーブルを固定するケーブル固定装置において、固定部に、一定の間隔を設けて配設された突出部を備え、前記突出部に、ケーブルが貫通するスリットを設け、前記突出部の間に、スリットの底面より高くなる位置に配置された固定リブを設け、さらに、前記カバー部に、前記突出部に形成されたスリットと対向する位置にフランジ部を設け、前記固定部の突出部に重なるように配設された前記カバー部のフランジ部と、前記固定部に設けられた固定リブより、前記ケーブルを屈折させて固定する構成としたケーブル固定装置。
【請求項２】
前記固定部に設けられたボス部に、取り付けネジによってカバー部を固定するとともに、この締め付け力によって前記カバー部のフランジ部を、ケーブルを押さえつけるようにした請求項１に記載のケーブル固定装置。
【請求項３】
前記固定部に係止爪を設け、前記カバー部に設けられた係止片が弾性変形することで係止する構造とした請求項１または請求項２に記載のケーブル固定装置。
【請求項４】
前記係止片を、前記カバー部が固定部の突出部に沿ってスライドする方向に延長させた請求項３に記載のケーブル固定装置。
【発明の詳細な説明】
【技術分野】
【０００１】
本発明は、電源コード等のケーブルを固定するケーブル固定装置およびこのケーブル固定装置を備えた電装品保護装置に関するものである。
【背景技術】
【０００２】
従来、この種のケーブル固定装置は、筐体に突出した複数のリブを設け、リブに両端が外側に連通した導入孔を設け、筐体に屈曲した溝を形成し、溝に電源コードを収納して取り付けたプリンタの電源コード固定装置が知られている（例えば、特許文献１参照）。
【０００３】
また、固定面に箱型のリブを設け、リブの対向する面に電源コードが貫通するスリットを形成し、電源コードの結び目を箱型のリブに挿入し、蓋の内側に形成したロ字状のリブにより、結び目を押さえつけて電源コードを固定する洗濯機の電源コード固定装置が知られている（例えば、特許文献２参照）。
【０００４】
以下、図面を参照しながら上記従来のケーブル固定装置を説明する。
【０００５】
図７は特許文献１に記載された従来のケーブル固定装置の斜視図、図８は同ケーブル固定装置の電源コードを収納した状態の斜視図である。
【０００６】
図７および図８において、筐体１は、プリンタ下部に配置され、電源基板２および制御基板３などが設置される。筐体１の内側には、筐体１と一体成形され、屈曲した二つの突起部４ａ、突起部４ｂによって構成された溝５を備えている。また、溝５は、三つの屈曲部６ａ、６ｂ、６ｃを有している。筐体１に形成された複数のリブには、導入孔８が設けられている。
【０００７】
電源コード１０は、筐体１に形成された複数のリブの導入孔８を通って筐体１の内部に導入される。さらに電源コード１０は、筐体１に設けられ、かつ屈曲した突起部４ａ、４ｂによって構成される屈曲した構造を有する溝５の内部に収納される。
【０００８】
ここで、溝５は、屈曲部６ａ、６ｂ、６ｃを有しているので、溝５に収納される電源コード１０は、屈曲部６ａ〜６ｃによって屈曲させられ、溝５の屈曲形状に沿って屈曲した形状となって収納されている。電源コード１０は、電力を供給するため、電源基板２に接続される。
【０００９】
以上の構成により、電源コード１０は、筐体１の内部に導入され、外部からの電源を電源基板２に供給することができる。また、電源コード１０は、溝５の内部で屈曲され、突起部４ａ、４ｂによって挟まれた状態となる。
【００１０】
したがって、電源コード１０は、突起部４ａ、４ｂの内壁との摩擦力によって固定されているため、電源コード１０が外部から強く引っ張られても、電源基板２との接続部に力が加わることがなく、安全性の高いケーブル固定装置を提供できる。
【００１１】
次に、従来の別の構成のケーブル固定装置を説明する。
【００１２】
図９は、特許文献２に記載された従来の別の構成のケーブル固定装置の斜視図、図１０は、同ケーブル固定装置の断面図である。
【００１３】
図９、図１０において、上方が開口し、洗濯機の上部カバー１１に電源コード１２を内包する箱型リブ１３を形成し、電源コード１２に団子状の結び目１２ａをつくり、この結び目１２ａを箱型リブ１３に挿入する。また、箱型リブ１３の前後面には、電源コード１２が貫通するスリット１４ａ、１４ｂが形成され、さらにこのスリットに、電源コード１２を係止する爪１５ａ、１５ｂが設けられている。
【００１４】
さらに、上部カバー後部の上方に配設される後部パネル１６には、電源コード１２の結び目１２ａを、上部より押さえつけるようなロ字状リブ１７が形成されており、後部パネル１６を上部カバー１１に組み込んだときに、ロ字状リブ１７が上部カバー１１に形成される箱型リブ１３の内側に嵌合する構成となっている。この嵌合により、電源コード１２の結び目１２ａを、上部カバー１１とロ字状リブ１７にて挟み込み、電源コード１２を固定するものである。
【００１５】
以上の構成により、電源コード１２は、上部カバー１１に形成される箱型リブ１３と電源コード１２が貫通するスリット１４ａ、１４ｂによって前後左右方向に固定され、上部カバー１１と後部パネル１６に形成されるロ字状リブ１７によって上下方向に固定される。
【００１６】
したがって、別の固定部品を必要としないので、部品点数を削減できるとともに、取り付け作業性のよいケーブル固定装置を提供できる。
【００１７】
また、従来、ケーブルを固定する装置を備えた圧縮機の電装品保護装置には、圧縮機本体に設けたブラケットと電装品を覆う電装品カバーを備え、その電装品カバーを、ブラケットに備えた係止孔と電装品カバーに備えた係止爪で固定し、別体のコードクランプ装置をネジ止めすることにより、電源コード引き出し部を貫通した電源コードを固定する構成が知られている（例えば、特許文献３参照）。
【００１８】
以下、図面を参照しながら上記従来の電装品保護装置を説明する。
【００１９】
図１１は、特許文献３に記載の電装品保護装置の分解斜視図、図１２は、同電装品保護装置の取り付け状態の拡大側面図である。
【００２０】
図１１、図１２において、電動要素（図示せず）を収容した圧縮機２０には、電動要素に電気を供給するためのガラスターミナル２１が取り付けられている。そして、冷間圧延鋼板や熱間圧延鋼板などの鉄板の折曲成形によって形成されたブラケット２２が、ガラスターミナル２１を囲むように、圧縮機２０の外表面に固定されている。
【００２１】
電装品２３は、始動リレー２３ａとモータプロテクタ２３ｂから構成されており、電動要素への過電流供給による焼損や、電動要素の異常温度上昇時に、圧縮機が破損するのを防止する目的で用いられている。
【００２２】
ガラスターミナル２１に電装品２３が装着された後、電装品２３を覆う電装品カバー２４が装着される。電装品カバー２４は、内部に形成された爪部２５が、ブラケット２２に備えられた係止孔２６に係止されることで固定される。
【００２３】
また電装品カバー２４の下部には、電装品２３に電気を供給するための電源コード３０を外部へ引き出すために、コードクランプ本体３１ａと別体のコード押さえ部３１ｂから構成されるコードクランプ装置３２が配置され、電装品２３から電源コード３０が外れないように電源コード３０を固定している。
【００２４】
コードクランプ装置３２の導入孔３３より、電源コード３０が引き出されるが、樹脂製のクランプネジ３４の締め付け力によって電源コード３０を押さえつける。
【００２５】
以上のような構成により、電装品カバー２４をブラケット２２に容易に装着することができると共に、多様な線径の電源コード３０が外れないように確実に固定することができる。
【先行技術文献】
【特許文献】
【００２６】
【特許文献１】特開２００６−５４３２４号公報
【特許文献２】特開平７−３０８４８８号公報
【特許文献３】特開２００５−３０７７９７号公報
【発明の概要】
【発明が解決しようとする課題】
【００２７】
しかしながら、上記従来の構成のうちのひとつは、筐体に一体成形された屈曲した複数の突起部４ａ、４ｂによって構成された溝５に電源コード１０を収納する構造としているため、電源コード１０を溝５に別途押し込む必要があり、取り付け時の作業性がよくない。
【００２８】
また、別の上記従来の構成では電源コード１２に結び目１２ａをつくり、上部カバー１１に形成した箱型リブ１３の中に電源コード１２の結び目１２ａを収容し、後部パネル１６の内面に備えられたロ字状リブ１７にて結び目１２ａを押さえる構造としているため、電源コード１２の線径が硬い場合や、線径が太い場合には、結び目１２ａをつくることが困難であり、逆に、電源コード１２が柔らかく、細い場合には、ロ字状リブ１７が電源コード１２を十分に押さえられない可能性があった。
【００２９】
また、上記従来の電装品保護装置の構成では、コードクランプ本体３１ａを別部品としているため、部品点数も多く、電装品保護装置の設置に必要なスペースが大きくなり、小型の圧縮機への取り付けが困難であった。
【００３０】
本発明は、上記従来の課題を解決するもので、少ない部品点数で取り付け作業性を向上させるとともに、多様な種類の電源コードを確実に固定することができ、生産性が高く、信頼性の高いケーブル固定装置および、このケーブル固定装置を備えた電装品保護装置を提供することを目的とする。
【課題を解決するための手段】
【００３１】
上記従来の課題を解決するために、本発明は、固定部とカバー部に分かれる分割構造を持ち、嵌め合わせることでケーブルを固定するケーブル固定装置において、固定部に、一定の間隔を設けて配設された突出部を備え、この突出部に、ケーブルが貫通するスリットを設け、前記突出部の間に、スリットの底面より高くなる位置に配置された固定リブを設け、さらに、前記カバー部に、前記突出部に形成されたスリットと対向する位置にフランジ部を設け、前記固定部の突出部に重なるように配設された前記カバー部のフランジ部と、前記固定部に設けられた固定リブにより、前記ケーブルを屈折させて固定する構成としたものである。
【００３２】
かかる構成とすることで、電源コードなどのケーブルを取り付ける際に、突出部に設けられたスリットに前記ケーブルを貫通させ、カバー部を取り付けるだけで電源コードなどのケーブルを固定することができる。したがって、外部から電源コードなどのケーブルが強く引っ張られても、ケーブルが外れることもなく、また、取り付け作業性がよく、信頼
性の高いケーブル固定装置を提供することができる。
【発明の効果】
【００３３】
本発明のケーブル固定装置は、取り付け作業性が向上するとともに、電源コードなどのケーブルを確実に固定することができるので、生産性や信頼性を高くすることができる。
【図面の簡単な説明】
【００３４】
【図１】本発明の実施の形態１におけるケーブル固定装置を備えた電装品保護装置の分解斜視図
【図２】同実施の形態１におけるケーブル固定装置を備えた電装品カバーの斜視図
【図３】同実施の形態１におけるケーブル固定装置のカバー部の斜視図
【図４】同実施の形態１における電源コードを収納したケーブル固定装置の固定部の側面図
【図５】同実施の形態１におけるケーブル固定装置の取り付け完了後の斜視図
【図６】同実施の形態１における取り付け完了後のケーブル固定装置の要部断面図
【図７】従来のケーブル固定装置の分解斜視図
【図８】同ケーブル固定装置の電源コードを収納した状態の分解斜視図
【図９】従来の別の構成のケーブル固定装置の分解斜視図
【図１０】同ケーブル固定装置の断面図
【図１１】従来の電装品保護装置の分解斜視図
【図１２】同電装品保護装置の取り付け状態の拡大側面図
【発明を実施するための形態】
【００３５】
請求項１に記載の発明は、固定部とカバー部に分かれる分割構造を持ち、嵌め合わせることでケーブルを固定するケーブル固定装置において、固定部に、一定の間隔を設けて配設された突出部を備え、前記突出部に、ケーブルが貫通するスリットを設け、前記突出部の間に、スリットの底面より高くなる位置に配置された固定リブを設け、さらに、前記カバー部に、前記突出部に形成されたスリットと対向する位置にフランジ部を設け、前記固定部の突出部に重なるように配設された前記カバー部のフランジ部と、前記固定部に設けられた固定リブより、前記ケーブルを屈折させて固定する構成としたものである。
【００３６】
かかる構成とすることにより、前記カバー部のフランジ部の押圧力によって前記ケーブルを複数箇所で屈曲させることができる。したがって、前記固定部に設けられた固定リブと前記カバー部のフランジ部との間の摩擦力により、外部から強い引っ張り力が加わっても十分耐えられる強い固定力を持つことができる。その結果、取り付け作業性がよく信頼性の高いケーブル固定装置を提供することができる。
【００３７】
請求項２に記載の発明は、請求項１に記載の発明において、前記固定部に設けられたボス部に、取り付けネジによってカバー部を固定するとともに、この締め付け力によって前記カバー部のフランジ部を、ケーブルを押さえつけるようにしたものである。
【００３８】
かかることにより、前記カバー部を前記固定部へ取り付けるためのネジを、前記ケーブルを固定するためのネジとして用いるため、部品点数を減らせるとともに、この際に発生する締め付け力により、前記カバー部のフランジ部でケーブルを強く押さえつけることができる。その結果、電源コードなどのケーブルが強く引っ張られても、ケーブルの押さえ力が緩むこともなく、確実に固定することができる、請求項１の発明の効果に加えて、さらにコストが安く、信頼性の高いケーブル固定装置を提供することができる。
【００３９】
請求項３に記載の発明は、請求項１または請求項２に記載の発明において、前記固定部に係止爪を設け、前記カバー部に設けられた係止片が弾性変形することで係止する構造と
したものである。
【００４０】
かかることにより、ケーブル固定装置にケーブルを固定する際には、前記ケーブルの反発を抑えるために、前記カバー部でケーブルを押さえながら該カバー部を取り付ける必要があるが、係止爪に係止孔を弾性変形させて取り付ける構造としていることにより、取り付け作業時に、前記ケーブルおよびカバー部を仮固定できるので作業性がよい。また、カバー部を固定する取り付けネジが、何らかの要因で緩んだ場合においても、前記ケーブルが固定部より外れることがないので、ケーブルの取り付け部の露出を防ぐことができる。その結果、請求項１または請求項２の発明の効果に加えて、さらに作業性がよく、信頼性の高いケーブル固定装置を提供することができる。
【００４１】
請求項４に記載の発明は、請求項３に記載の発明において、前記係止片を、前記カバー部が固定部の突出部に沿ってスライドする方向に延長させたものである。
【００４２】
かかることにより、前記ケーブルの反発力を抑えるために、前記固定部に設けられた係止爪にカバー部が仮固定された後においても、前記固定部の突出部に沿ってカバー部のフランジ部がスライドさせることができる。そのため、カバー部が固定部に取り付けられる際に発生する締め付け力により、前記カバー部と前記固定部のボス部端面が接するまでの範囲で、カバー部のフランジ部によるケーブルの押さえつけができる。したがって、線径違いや被覆の固さなどが違う多くの種類のケーブルを確実に固定することができる。その結果、請求項３に記載の発明の効果に加えて、さらに作業性がよいケーブル固定装置を提供できる。
【００４３】
以下、本発明の実施の形態について図面を参照しながら説明する。なお、この実施の形態によってこの発明が限定されるものではない。
【００４４】
（実施の形態１）
図１は、本発明の実施の形態１におけるケーブル固定装置を備えた電装品保護装置の分解斜視図、図２は、同実施の形態１におけるケーブル固定装置を備えた電装品カバーの斜視図、図３は、同実施の形態１におけるケーブル固定装置のカバー部の斜視図、図４は、同実施の形態１における電源コードを収納したケーブル固定装置の固定部の側面図、図５は、同実施の形態１におけるケーブル固定装置の取り付け完了後の斜視図、図６は、同実施の形態１における取り付け完了後のケーブル固定装置の要部断面図である。
【００４５】
図１、図２に基づいて、ケーブル固定装置を備えた電装品保護装置の構成について説明する。
【００４６】
図１、図２において、電動要素（図示せず）を収容した圧縮機本体１００には、電動要素に電気を供給するためのガラスターミナル１０５が取り付けられている。圧縮機本体１００の外表面には、冷間圧延鋼板や熱間圧延鋼板などの鉄板の折曲成形によって形成されたブラケット１０２が、ガラスターミナル１０５を囲むように固定されている。
【００４７】
電装品１０７は、それぞれのケーブル１０８に接続されたクラスター１０７ｃと、モータプロテクタ１０７ｂから構成されており、クラスター１０７ｃは、電動要素へ通電する目的で用いられ、またモータプロテクタ１０７ｂは、電動要素の異常温度上昇時に、通電を遮断して電動要素を停止制御し、圧縮機が破損するのを防止する目的で用いられている。
【００４８】
ブラケット１０２は、上側に挿入部１１２が折曲形成され、下側にガラスターミナル１０５を挟んで対向する位置に、プレスの打ち抜きにより加工された係止孔１０３を設けた
係止部１０６を備えている。
【００４９】
電装品カバー１０９は、ガラスターミナル１０５に電装品１０７が装着された後、電装品１０７を覆うように装着される。この電装品カバー１０９は、ポリプロピレンやポリカーボネート等の合成樹脂材料により射出成形され、内壁面上部で、かつブラケット１０２の挿入部１１２に対応する位置に、略Ｕ字形状をなす一対の挟持部１１３を設けている。電装品カバー１０９の内壁面下部で、かつブラケット１０２の係止孔部１０３に対応する位置には、係止孔１０３に係止するテーパ状の爪部１１４を形成している。
【００５０】
電装品カバー１０９の側面には、ケーブル固定装置１１５が備えられている。
【００５１】
次に、図２から図５に基づいて、ケーブル固定装置の構成について説明する。
【００５２】
ケーブル固定装置１１５は、電装品カバー１０９の側面に一体に成型された固定部１１０とカバー部１１１に分かれる分割構造で構成されている。
【００５３】
固定部１１０には、一定の間隔を設けて配設された一対の突出部１１７を備え、突出部１１７には、ケーブル１０８が貫通する略円弧状のスリット１１８を設け、一対の突出部１１７の間には、円弧状のスリット１１８の底面より高くなる位置に配置された固定リブ１２０が形成されている。
【００５４】
カバー部１１１には、固定部１１０に設けられた一対の突出部１１７に形成されたスリット１１８と対向する位置に、一対のフランジ部１２２が設けられている。
【００５５】
固定部１１０の上下には、テーパ状の係止爪１２３が設けられ、カバー部１１１の外周部には、係止爪１２３と対向する位置に、係止爪１２３が嵌合するように貫通孔１２４ａを設けた係止片１２４が相対向して設けられている。さらに、各係止片１２４の先端部１３１には、面取り１３２が施されている。
【００５６】
カバー部１１１の係止片１２４は、カバー部１１１が固定部１１０の突出部１１７に沿うようにスライドする方向に延長されている。
【００５７】
固定部１１０には、取り付けネジを挿入するためのボス部１２５が備えられており、固定部１１０にカバー部１１１を取り付けネジ１２６によって固定することで、ケーブル固定装置１１５を構成している。
【００５８】
以上のように構成されたケーブル固定装置およびこのケーブル固定装置を備えた電装品保護装置について、以下その動作、作用を説明する。
【００５９】
まずガラスターミナル１０５にクラスター１０７ｃを挿入固定し、電装品カバー１０９にモータプロテクタ１０７ｂを挿入した後、電装品カバー１０９をブラケット１０２に挿入する。
【００６０】
この際、まず、電装品カバー１０９に設けた略Ｕ字形状の複数の挟持部１１３が、ブラケット１０２に設けた挿入部１１２を各々挟み込む。この状態で電装品カバー１０９の挿入を続けることにより、挟持部１１３が挿入部１１２に対して水平移動しながら挿入され、やがてブラケット１０２の係止部１０６に、電装品カバー１０９のテーパ状の爪部１１４が当たる。さらに挿入を続けると、電装品カバー１０３のテーパ状の爪部１１４を設けている壁面が、係止部１０６に対して外側へ歪み、さらに挿入されることで挟持部１１３が挿入部１１２を挟み込み、テーパ状の爪部１１４がブラケット１０２の係止孔１０３に
係止される。
【００６１】
以上の動作により、電装品カバー１０９のブラケット１０２への取り付けが完了する。
【００６２】
次に、電装品１０７に接続されたケーブル１０８の固定方法について説明する。
【００６３】
電装品カバー１０９に設けられた出口部１３０から、電装品１０７に電気を供給するために接続されたケーブル１０８が引き出される。
【００６４】
引き出されたケーブル１０８は、図４に示すように、電装品カバー１０３を出て屈曲され、電装品カバー１０３に設けられたケーブル固定装置１１５の固定部１１０に配置される。この固定部１１０において、ケーブル１０８は、一対の突出部１１７に形成されたＵ字状のスリット１１８に通される。
【００６５】
カバー部１１１は、固定部１１０に設けられた突出部１１７の内壁に沿うようにスライドしながら挿入されるが、この際に、カバー部１１１の上下に設けられた一対の係止片１２４の先端部１３１の面取り部１３２が、固定部１１０の上下に設けられたテーパ状の係止爪１２３に接触する。さらにカバー部１１１の挿入を続けることにより、係止片１２４が固定部１１０の係止爪１２３を乗り上げ、外側に開くように弾性変形する。さらに、カバー部１１１がスライド方向に移動することによって、係止爪１２３が係止片１２４の貫通孔１２４ａに嵌合し、これにより、カバー部１１１が固定部１１０へ係止される。
【００６６】
これにより、ケーブル１０８は、固定部１１０に設けられた固定リブ１２０とカバー部１１１に備えられたフランジ部１２２との間で押さえられ、仮固定される。
【００６７】
電源コードなどのケーブル１０８は、屈折させられる際に、反発力により反固定部側に逃げようとするが、カバー部１１１で押えられるとともに、カバー部１１１の上下に設けられた係止片１２４が、固定部１１０に設けられたテーパ状の係止爪１２３と係止していることにより、カバー部１１１は、固定部１１０から外れることがなく、電源コードなどのケーブル１０８の取り付け作業性がよい。
【００６８】
かかる状態において、カバー部１１１のネジ孔１１１ａより取り付けネジ１２６を挿入し、固定部１１０のボス部１２５に取り付けネジ１２６を締め付けることにより、カバー部１１１の固定部１１０への取り付けが完了する。
【００６９】
したがって、フランジ部１２２を備えたカバー部１１１は、固定部１１０に備えられたボス部１２５に取り付けネジ１２６で締め付けられることで固定されるとともに、ケーブル１０８は、固定部１１０に設けられた固定リブ１２０とカバー部１１１のフランジ部１２２によって屈折させられた状態となっている。その結果、ケーブル１０８が引っ張られた場合、ケーブル１０８の屈曲により、固定リブ１２０およびフランジ部１２２との間に摩擦力が発生し、外部からの強い引っ張り力が加わっても十分耐えられる強い固定力を持つことができる。
【００７０】
また、カバー部１１１を、取り付けネジ１２６によって固定部１１０に取り付けると同時に、取り付けネジ１２６をさらに締め付けて、スリット１１８とフランジ部１２２によるケーブル１０８の屈曲をさらに小さくすることで、ケーブル１０８は、さらに強く固定される。
【００７１】
かかる構成は、カバー部１１１を固定部１１０へ取り付けるための取り付けネジ１２６を、ケーブル１０８を固定するための締め付け用のネジと兼用する構成となり、部品点数
を減らせることができる。
【００７２】
また、カバー部１１１の上下に設けられた係止片１２４は、カバー部１１１が固定部１１０に取り付けられるスライド方向に延長されているので、固定部１１０の係止爪１２３に係止された後、ケーブル１０８の線径や固さなどが違う場合においても、取り付けネジ１２６の締め付け力により、カバー部１１１と固定部１１０のボス部１２５が接するまでの範囲で、カバー部１１１のフランジ部１２２がケーブル１０８をさらに押さえつけることができる。したがって、ケーブル１０８の種類、線径によらず、ケーブル１０８を強固に締め付けることができ、利便性を高めることができる。
【００７３】
さらに、ケーブル固定装置１１５を電装品カバー１０９の側面部に設け、電装品保護装置として構成できるため、小型の圧縮機への取り付けの際にも、省スペースで取り付けることができ、作業性がよく、確実に電源コードなどのケーブル１０８を固定することができる。
【産業上の利用可能性】
【００７４】
以上のように、本発明にかかるケーブル固定装置は、少ない部品点数で電源コードなどのケーブルを確実に固定できるので、生産性が高く、信頼性の高いケーブル固定装置とすることができ、冷蔵庫、エアーコンディショナー、冷凍冷蔵装置等のあらゆる圧縮機の電装品保護装置だけでなく、電源コードなどを備えたさまざまな機器に適用することができる。
【符号の説明】
【００７５】
１０８  ケーブル
１１０  固定部
１１１  カバー部
１１５  ケーブル固定装置
１１７  突出部
１１８  スリット
１２０  固定リブ
１２２  フランジ部
１２３  係止爪
１２４  係止片
１２５  ボス部
１２６  取り付けネジ
【図１】
2012238723.tif 000003
【図２】
2012238723.tif 000004
【図３】
2012238723.tif 000005
【図４】
2012238723.tif 000006
【図５】
2012238723.tif 000007
【図６】
2012238723.tif 000008
【図１１】
2012238723.tif 000009
【図７】
2012238723.tif 000010
【図８】
2012238723.tif 000011
【図９】
2012238723.tif 000012
【図１０】
2012238723.tif 000013
【図１２】
2012238723.tif 000014